(57)【要約】 【課題】  放送される時間帯が既に録画予約された番組と重複している番組であっても１通の電子メールにより確実に録画予約できる比較的小規模な番組録画予約システムを提供する。【解決手段】  受信したデータから電子メールのデータを検出するデータコントロール部３と、電子メールのデータ中の録画予約情報から、同じ録画期間で既に登録済みの録画予約情報との重複を確認し、重複が無い場合には録画予約処理を実施して録画予約処理が終了した旨の電子メールを出力し、重複が検出された場合、ＩＤ記憶部１６に予め格納された他のデジタル記録再生装置の電子メールアドレスを選択して電子メールを作成するコーディネータ部１５と、録画予約情報を格納する録画ステータス記憶部６とを少なくとも備える複数のデジタル記録再生装置により構成される番組録画予約システム。【選択図】  図１
2005318069.tif 000002
【特許請求の範囲】
【請求項１】
少なくとも公衆通信回線網を含む通信回線網により通信接続され、無線又は有線により放送されるテレビジョン番組の録画を通信回線網を介して電子メールで予約可能であり、予約された番組を予約時間に録画可能である複数のデジタル記録再生装置により構成され、
前記各デジタル記録再生装置は、
前記予約された番組の録画を制御すると共に、前記通信回線網から受信したデータから電子メールのデータを検出するデータコントロール部と、
前記電子メールにより指定される少なくとも一つの他のデジタル記録再生装置の製品識別コード（ＧＵＩＤ：Global Unique ＩＤ、以下ＩＤ番号と記載）を、各ＩＤ番号に対応する電子メールアドレスと共に予め格納するＩＤ記憶部と、
前記電子メールのデータ中から録画予約に関するコマンド、及び、該コマンドに付随する録画予約情報を抽出し、同じ録画期間で既に登録済みの録画予約情報との重複を検出し、重複が無い場合には録画予約処理を実施して録画予約処理が終了した旨の電子メールを作成して出力し、前記重複が検出された場合には、前記ＩＤ記憶部に格納された他のデジタル記録再生装置のＩＤ番号および該ＩＤ番号に対応する電子メールアドレスを選択して電子メールを作成するコーディネータ部と、
前記録画予約情報を格納する録画ステータス記憶部と
を少なくとも備えることを特徴とした番組録画予約システム。
【請求項２】
前記電子メール送受信端末装置からの１次の録画予約の電子メールによりＩＤ番号が指定される１台の第１のデジタル記録再生装置と、
第１のデジタル記録再生装置からの２次の録画予約の電子メールによりＩＤ番号が指定される少なくとも１台の第２のデジタル記録再生装置と
から構成されることを特徴とした請求項１に記載の番組録画予約システム。
【請求項３】
前記第１のデジタル記録再生装置においては、
前記コーディネータ部は、
前記別の録画予約情報が検出された場合、前記ＩＤ記憶部に格納された他のデジタル記録再生装置のＩＤ番号および該ＩＤ番号に対応する電子メールアドレスから、順次ＩＤ番号および対応する電子メールアドレスを選択し、前記他のデジタル記録再生装置に録画予約するための２次の電子メールを前記録画予約情報を用いて作成し、
前記別の録画予約情報が検出されない場合、録画予約処理が終了した旨の１次の電子メールを電子メール送受信端末装置に送出する
ことを特徴とする請求項２に記載の番組録画予約システム。
【請求項４】
前記第２のデジタル記録再生装置においては、
前記ＩＤ記憶部は、
前記他のデジタル記録再生装置として、少なくとも前記第１のデジタル記録再生装置のＩＤ番号および該ＩＤ番号に対応する電子メールアドレスを格納し、
前記コーディネータ部は、
前記別の録画予約情報が検出された場合、前記ＩＤ記憶部に格納された第１のデジタル記録再生装置のＩＤ番号および該ＩＤ番号に対応する電子メールアドレスを選択し、録画予約処理が不能である旨の２次の電子メールを作成し、
前記別の録画予約情報が検出されない場合、録画予約処理が終了した旨の２次の電子メールを第１のデジタル記録再生装置に送出する
ことを特徴とする請求項３に記載の番組録画予約システム。
【請求項５】
前記第１のデジタル記録再生装置における前記コーディネータ部は、
前記別の録画予約情報が検出された場合で、且つ、前記第２のデジタル記録再生装置から録画予約処理が不能である旨の２次の電子メールを受信した場合、前記ＩＤ記憶部に格納された他のデジタル記録再生装置のＩＤ番号および該ＩＤ番号に対応する電子メールアドレスから次のＩＤ番号および対応する電子メールアドレスを選択し、前記録画予約情報を用いて他のデジタル記録再生装置に録画予約するための２次の電子メールを作成し、
前記第２のデジタル記録再生装置から録画予約が終了した旨の２次の電子メールを受信した場合、第２のデジタル記録再生装置に録画予約処理が終了した旨の１次の電子メールを前記電子メール送受信端末装置に送出する
ことを特徴とする請求項４に記載の番組録画予約システム。
【請求項６】
前記第１のデジタル記録再生装置における前記録画ステータス記憶部内には、
さらに、前記第１のデジタル記録再生装置についての録画予約情報を格納する予約情報記憶部と、
前記他のデジタル記録再生装置についての録画予約情報を格納する他装置予約情報記憶部と
が設けられることを特徴とする請求項５に記載の番組録画予約システム。
【請求項７】
前記第１のデジタル記録再生装置における前記コーディネータ部には、
前記電子メール送受信端末装置あるいは他のデジタル記録再生装置に向けて送信する電子メールを作成するメール作成部が設けられ、さらに、該メール作成部内に、前記ＩＤ記憶部に格納された他のデジタル記録再生装置のＩＤ番号および該ＩＤ番号に対応する電子メールアドレスから、作成された電子メールに用いられたＩＤ番号の順番をカウントするメーリングリストカウンタ
が設けられることを特徴とする請求項３〜６の何れかに記載の番組録画予約システム。
【請求項８】
前記第１のデジタル記録再生装置における前記コーディネータ部のメール作成部は、
前記他のデジタル記録再生装置から録画予約処理が不能である旨の２次の電子メールを受信した場合、
前記メーリングリストカウンタにより、前記ＩＤ記憶部に格納された他のデジタル記録再生装置のＩＤ番号のカウントが終了するまでは、他のデジタル記録再生装置に向けて録画予約するための２次の電子メールを作成し、
前記メーリングリストカウンタによる前記ＩＤ番号のカウントが終了した場合、電子メール送受信端末装置に向けて録画予約処理が不能である旨の１次の電子メールを作成する
ことを特徴とする請求項７に記載の番組録画予約システム。
【請求項９】
前記コーディネータ部には、
受信した電子メールのデータ中から抽出された録画予約情報と、前記録画ステータス記憶部に格納された録画予約情報との、録画期間の重複を確認する録画重複期間チェック部が設けられる
ことを特徴とする請求項１〜８の何れかに記載の番組録画予約システム。
【請求項１０】
前記コーディネータ部には、
受信した電子メールのデータ中の録画予約コマンドを拒絶するか否かをＯＮ／ＯＦＦ制御できるプロテクト制御部が設けられる
ことを特徴とする請求項４〜９の何れかに記載の番組録画予約システム。
【請求項１１】
前記第２のデジタル記録再生装置において、前記プロテクト制御部により録画予約コマンドを拒絶する場合、
前記コーディネータ部は、
前記ＩＤ記憶部に格納された第１のデジタル記録再生装置のＩＤ番号および該ＩＤ番号に対応する電子メールアドレスを選択し、録画予約処理がプロテクトされている旨の２次の電子メールを作成し、
前記別の録画予約情報が検出されない場合、録画予約処理が終了した旨の２次の電子メールを第１のデジタル記録再生装置に送出する
ことを特徴とする請求項１０に記載の番組録画予約システム。
【請求項１２】
前記プロテクト制御部は、
前記録画予約コマンドを拒絶するか否かのＯＮ／ＯＦＦ制御期間を任意の期間に指定できるタイマーを備え、
該タイマーにより期間が限定される場合
前記録画予約処理がプロテクトされている旨の２次の電子メールは、該限定された期間の情報を含んで作成される
ことを特徴とする請求項１１に記載の番組録画予約システム。
【請求項１３】
前記電子メール中のコマンドが録画予約の登録状況を確認する処理である場合、
前記コーディネータ部は、
少なくとも前記録画ステータス記憶部に格納された前記録画予約情報を読み出し、電子メール送受信端末装置に向けて前記録画予約情報の内容を含む電子メールを作成する
ことを特徴とする請求項４〜１２の何れかに記載の番組録画予約システム。
【請求項１４】
前記コーディネータ部の前記録画ステータス記憶部には、前記録画予約情報に加えて実行情報データが格納されており、
前記録画予約の登録状況を確認する場合で、さらに、既に録画予約された番組に対する録画が開始されている場合、
前記コーディネータ部は、
電子メール送受信端末装置に向けて、前記録画予約情報の内容を含んで録画実行中である旨の電子メールを作成する
ことを特徴とする請求項１３に記載の番組録画予約システム。
【請求項１５】
前記第１のデジタル記録再生装置における前記コーディネータ部の前記録画ステータス記憶部には、前記録画予約情報に加えて他のデジタル記録再生装置の録画予約情報が格納されており、
前記録画予約の登録状況を確認する場合で、かつ、該録画予約が任意のデジタル記録再生装置に登録されるまでの経緯を含んで確認する場合、
前記コーディネータ部は、
電子メール送受信端末装置に向けて、前記他のデジタル記録再生装置の録画予約情報の内容を用いて、録画予約に至るまでに確認された全デジタル記録再生装置の録画予約情報を含む１次の電子メールを作成する
ことを特徴とする請求項１３または１４に記載の番組録画予約システム。
【請求項１６】
請求項１〜１５のいずれかの番組録画予約システムに用いられるデジタル記録再生装置。
【発明の詳細な説明】
【技術分野】
【０００１】
本発明は、放送されるテレビジョン番組の録画を、例えば遠隔地の電子メール送受信端末装置から通信回線網を介して電子メールで予約でき、予約時間になったら予約された番組を録画することができる番組録画予約システムに関し、さらに、その番組録画予約システムを構成する複数のデジタル記録再生装置に関する。
【背景技術】
【０００２】
電子メールは、近年の情報のデジタル化技術の進歩、有線あるいは無線の通信回線網の整備、および、インターネットの普及に伴い、情報交換手段として広く様々な状況で用いられるようになってきている。例えば、家庭や事務所等でパーソナルコンピュータを利用して電子メールを送受信したり、あるいは、外出先で携帯用コンピュータや携帯電話端末装置を利用して電子メールを送受信することが日常的に行われている。
【０００３】
また、デジタル記録再生装置は、無線又は有線により放送されるテレビジョン番組の録画を予約でき、予約時間になったら予約された番組を録画できるものであるが、近年のインターネットの普及に伴い、通信回線網と接続されて、外出先や離れた所から電子メールで番組の録画を予約できるようになってきた。
【０００４】
例えば、外出先から携帯電話を利用して、自宅に設置されたパーソナルコンピュータを含む情報端末とインターネットを介して電子メールで通信し、その情報端末から送出される赤外線に載せた制御信号により、自宅に備えられている任意の家電装置（例えば、デジタル記録再生装置等）を指定して制御する遠隔操作システムが知られている（例えば、特許文献１参照）。
【０００５】
【特許文献１】特開２００２−３４４６４４号公報
【発明の開示】
【発明が解決しようとする課題】
【０００６】
しかしながら、上記した従来の遠隔操作システムでは、例えば、留守宅に設置された１台のデジタル記録再生装置に対して、外出先から電子メールで任意のテレビジョン番組の録画を予約しようとしたところ、そのデジタル記録再生装置には、これから録画を予約しようとするテレビジョン番組の放送時間帯に重なるように既に別のテレビジョン番組が予約されていた場合、そのデジタル記憶装置には放送時間が重なって新規に録画を希望する番組の予約ができないことになる。あるいは、既に予約された番組よりも新規に予約する番組を優先した場合、既に予約されていた番組の録画ができないことになる。つまり、従来の遠隔操作システムでは、放送される時間帯が重複する複数の番組の録画を電子メールで予約しようとしても、いずれか一方しか録画予約することができないという問題点があった。
【０００７】
また、上記した従来の遠隔操作システムでは、その制御結果の外出先の携帯電話等への返信は、制御信号を受信して実際に動作した家電装置から出力されるのではなく、例えば、各家電装置に制御信号を出力するだけの情報端末から出力されるようになっていた。従って、例えば、情報端末から家電装置としてのデジタル記録再生装置に録画予約の制御信号が出力されてもデジタル記録再生装置には録画予約が設定されないので、制御されたはずの家電装置の実際の動作結果と、外出先の携帯電話等に返信された制御結果とは異なる可能性があった。
【０００８】
また、上記した従来の遠隔操作システムでは、家電装置の遠隔操作を実施する際の制御信号を情報端末から家電装置に伝送する手段が光学的な通信手段である赤外線であるため、例えば、家電装置としての録画装置と情報端末が設置されて録画予約した人が不在である家（留守宅）で、赤外線の通信経路中にその人の家族やペットにより障害物を置かれた場合や、地震により赤外線の通信経路に障害物が落ちてきた場合のように、情報端末と家電装置との間に障害物が存在する場合には、赤外線による通信ができなくなり、家電装置を制御できなくなるという問題があった。また、そのような情報端末と家電装置との間に障害物があることで通信できない状況を認識することができず、例えば、通信可能である他の家電装置により代理実行させることは不可能であった。上記した各問題点は、大規模なサーバ等を含むシステム導入することで解決できる場合があるが、大規模なサーバー等を含むシステムは高価であり設置場所が広く必要になるので、一般的な家庭等には導入が難しい。
【０００９】
この発明は、上記のような問題点を解決するためになされたもので、その第１の目的は、放送される時間帯が既に録画予約された番組と重複している番組であっても１通の電子メールにより確実に録画予約できる比較的小規模な番組録画予約システムを提供することである。また、第２の目的として、デジタル記録再生装置に実際に録画予約された結果と電子メール送受信端末装置に返信された録画予約の制御結果とが一致する番組録画予約システムを提供することである。さらに第３の目的として、電子メールにより一つのデジタル記録再生装置に録画予約することが不可能である場合には他のデジタル記録再生装置に録画予約できる番組録画予約システムを提供することである。
【課題を解決するための手段】
【００１０】
上記した目的を達成するため、この発明の番組録画予約システムは、少なくとも公衆通信回線網を含む通信回線網により通信接続され、無線又は有線により放送されるテレビジョン番組の録画を電子メール送受信端末装置から通信回線網を介して電子メールで予約でき、予約時間になったら予約された番組を録画できる複数のデジタル記録再生装置により構成され、各デジタル記録再生装置は、予約された番組の録画を制御すると共に、通信回線網から受信したデータから電子メールのデータを検出するデータコントロール部と、電子メールによりＩＤ番号が指定される少なくとも一つの他のデジタル記録再生装置のＩＤ番号を、各ＩＤ番号に対応する電子メールアドレスと共に予め格納するＩＤ記憶部と、電子メールのデータ中から録画予約に関するコマンド、及び、そのコマンドに付随する録画予約情報を抽出し、同じ録画期間で既に登録済みの録画予約情報との重複を検出し、重複が無い場合には録画予約処理を実施して録画予約処理が終了した旨の電子メールを作成して出力し、別の録画予約情報との録画期間の重複が検出された場合には、ＩＤ記憶部に格納された他のデジタル記録再生装置のＩＤ番号およびそのＩＤ番号に対応する電子メールアドレスを選択して電子メールを作成するコーディネータ部と、録画予約情報を格納する録画ステータス記憶部とを少なくとも備える。
【発明の効果】
【００１１】
本発明の番組録画予約システムでは、放送される時間帯が既に録画予約された番組と重複している番組を１通の電子メールにより確実に録画予約できる番組録画予約システムを提供でき、実際にデジタル記録再生装置に録画予約された結果が電子メール送受信端末装置に返信されるので、録画予約内容と録画予約の制御結果とを一致させることができ、電子メールにより一つのデジタル記録再生装置に録画予約することが不可能である場合には他のデジタル記録再生装置に録画予約させることができる。
【発明を実施するための最良の形態】
【００１２】
以下に、本発明の実施の形態を図面にもとづいて説明する。
【００１３】
実施の形態１．
図１は、本発明の実施の形態１の番組録画予約システムの一構成例を通信回線網を含めて示す概略構成図である。
図１において、アンテナ１ａ、１ｂは、無線放送されるテレビジョン番組の放送を受信するためのものである。第１デジタル記録再生装置１００ａは、アンテナ１ａと接続されて受信されたテレビジョン番組の放送信号が入力されると共に、家庭内や事業所内等のローカルエリアネットワーク（ＬＡＮ）１０４ａにも接続されて第２デジタル記録再生装置１００ｂおよびＨＵＢ内蔵ブロードバンドルータ１０１ａと通信接続される。
【００１４】
第２デジタル記録再生装置１００ｂは、第１デジタル記録再生装置１００ａと同様に、アンテナ１ａと接続されると共に、ＬＡＮ１０４ａにも通信接続される。第３デジタル記録再生装置１００ｃは、第１デジタル記録再生装置１００ａと略同様であるが設置される場所が異なる家庭あるいは事業所となるため、接続されるアンテナがアンテナ１ｂになり、通信接続されるＬＡＮがＬＡＮ１０４ｂになる。第４デジタル記録再生装置１００ｄは、第３デジタル記録再生装置１００ｃと同様に、アンテナ１ｂと接続されると共に、ＬＡＮ１０４ｂにも通信接続される。デジタル記録再生装置１００ａ〜第４デジタル記録再生装置１００ｄの内部構成については図３を用いて後述する。
【００１５】
ＨＵＢ内蔵ブロードバンドルータ１０１ａ、１０１ｂは、各々ＬＡＮ１０４ａ、ＬＡＮ１０４ｂにより各デジタル記録再生装置１００ａ〜１００ｄと通信接続されると共に、電話回線等のインターネット通信が可能な公衆通信回線１０２とも接続され、異なるネットワークアドレスを持つネットワーク間を接続し、パケットの最適経路を判断して経路選択機能によりパケットの流れを制御するものである。また、ＨＵＢ内蔵ブロードバンドルータ１０１ａ、１０１ｂは、例えば、複数の１０ＢＡＳＥ−Ｔ／１００ＢＡＳＥ−Ｔ等のイーサネット（登録商標）用ケーブルを接続できる集線装置であるハブを内蔵する。
【００１６】
電子メール送受信端末装置１０３は、例えば、インターネットを含む公衆通信回線１０２を介する電子メール送受信機能を備える携帯電話装置であり、電子メール送受信機能を備える任意の通信装置との間で公衆通信回線１０２を介して電子メールを送受信することができる。
【００１７】
図２は、本発明の実施の形態１の番組録画予約システムで電子メールを各装置間で送受信する状況の一例を示す図である。
電子メール端末装置１０３で、例えば、２チャンネル（ｃｈ）で７：００〜８：００（２４時間表示）の番組を電子メールで予約する場合、まず、第１デジタル記録再生装置１００ａを宛先として番組の録画予約メールが送信される。第１デジタル記録再生装置１００ａの動作の詳細については、図７を用いて後述するが、簡単に説明すると、番組の録画予約メール（１次録画予約メール）を受信したら、自装置（１００ａ）内で録画可能か否かを判断し、その時間に自装置で録画できる場合は録画予約処理を実施して録画予約終了の返信メール（１次返信メール）が作成されて電子メール端末装置１０３に送信され、その時間に録画できない場合には、メーリングリストに格納されている次の第２デジタル記録再生装置１００ｂを宛先として録画予約メール（２次録画予約メール）が作成されて送信される。
【００１８】
第２記録再生装置１００ｂでは、第１記録再生装置１００ａから番組の２次録画予約メールを受信したら、自装置（１００ｂ）内で録画可能か否かを判断し、その時間に自装置で録画できる場合は録画予約処理を実施して録画予約終了の２次返信メールを作成して第１記録再生装置１００ａに送信し、その時間に録画できない場合には録画予約不能の２次返信メールを作成して第１記録再生装置１００ａに送信する。
【００１９】
第２記録再生装置１００ｂからの２次返信メールを受信した第１記録再生装置１００ａでは、２次返信メールの内容が録画予約終了の場合、録画予約終了の１次返信メールが作成されて電子メール端末装置１０３に送信され、返信メール内容が録画予約不能の場合には、メーリングリストに格納されているその次の第３デジタル記録再生装置１００ｃを宛先として２次録画予約メールが作成されて送信される。
【００２０】
以下、第１記録再生装置１００ａから番組の２次録画予約メールを受信した第３デジタル記録再生装置１００ｃ〜第Ｘデジタル記録再生装置１００ｅでも、第２記録再生装置１００ｂの場合と同様な処理が実施され、各第３デジタル記録再生装置１００ｃ〜１００ｅからの２次返信メールを受信した第１記録再生装置１００ａの動作も第２記録再生装置１００ｂの場合と同様であり、２次返信メール内容が録画予約終了の場合、録画予約終了の１次返信メールを作成して電子メール端末装置１０３に送信し、２次返信メール内容が録画予約不能の場合には、メーリングリストに格納されているその次の第４〜第Ｘ（Ｘ：正の整数）デジタル記録再生装置１００ｄ〜１００ｅを宛先として次の２次録画予約メールが作成されて送信される。
【００２１】
図３は、図１に示した第１デジタル記録再生装置１００ａの概略の内部構成の一例を示すブロック図である。
尚、図３における図１と同様な構成については、図１と同じ符号を付与することで重複する説明を省略する。また、図１あるいは図２に示した第２デジタル記録再生装置１００ｂ〜第Ｘデジタル記録再生装置１００ｅの構成及び動作は、以下の図４以降の図面を用いて説明する相違点を除いて、図３に示した第１デジタル記録再生装置１００ａの構成及び動作と同様である。
【００２２】
図３におけるチューナ部２は、例えば、アンテナ１ａで受信したテレビジョン番組のデジタル無線信号を復調し、番組の内容が含まれる信号、例えば、ＭＰＥＧ２のトランスポートストリーム（以下、ＴＳと記載）信号と、その他の電子メールを含む制御信号とを出力する。
【００２３】
データコントロール部３は、入力信号からＴＳ信号とその他の制御信号等を選択し、制御信号等についてはコーディネータ部１５に出力し、受信した放送のＴＳ信号については、録画予約された内容に従ってＴＳ用記録媒体４に記録（録画）する。また、ＴＳ用記録媒体４から再生した番組のＴＳ信号を後段のデコーダ部５に出力する。ＴＳ信号の選択の方法は、例えば、データ長が１８８バイト及びデータのヘッダのデータ値が４７ｈであればＴＳ信号と判断され、そのＴＳ信号は後段のデコーダ部５に転送される。それ以外は、その他の制御信号としてコーディネータ部１５に転送される。
【００２４】
ＴＳ用記録部４は、例えば、ハードディスクドライブ装置等の磁気的な大容量のデータ記録媒体、あるいは、記録可能なＤＶＤ等の大容量の光学的データ記録媒体等の、ランダムアクセス可能であり、任意の情報を蓄積可能である大容量の記憶媒体を含み、予約された番組のＴＳ信号が格納される記録部である。
【００２５】
デコーダ部５は、例えば、ＭＰＥＧ２等の符号化形式で符号化されているＴＳ信号を復号し、映像信号成分及び音声信号成分に分離させて出力する。録画ステータス記憶部６は、録画の予約内容等を記憶する。映像信号生成部７は、復号された映像信号成分から画像表示させるための映像信号を生成する。音声信号生成部８は、復号された音声信号成分から音声出力させるための音声信号を出力する。
【００２６】
中央演算装置（ＣＰＵ）９は、第１デジタル記録再生装置１００ａ内の各部を制御して、番組の録画予約処理、録画された番組の再生処理、電子メールの作成処理等を実施させる。音声出力回路１０は、音声信号生成部８で生成された音声信号をスピーカ等の音声出力装置１４に出力する。映像出力回路１１は、映像信号生成部７で生成された映像信号を陰極線管（ＣＲＴ）あるいは液晶表示パネル等の画像表示装置１２に出力する。
【００２７】
ネットワークインターフェース（Ｉ／Ｆ）部１３は、公衆通信網１０２からＨＵＢ内蔵ブロードバンドルータ１０１ａを経由して受信されたＴＳ信号あるいは電子メール等の通信を制御し、受信した信号を内部処理可能な信号に変換して、例えば、データコントロール部３に出力する。
【００２８】
コーディネータ部１５は、受信した電子メールから録画予約等のコマンドと予約データ等を抽出し、その録画予約時間の重複を確認して、以前の予約内容と録画時間が重複しないようであれば、録画予約処理を実施し、録画予約処理が終了した旨の電子メールを作成して送出する。
【００２９】
ＩＤ（製品識別コード）記憶部１６は、予め他のデジタル記録再生装置のＩＤ番号のメーリングリストを、それらのメールアドレスリストと関連させて順番に記憶させておき、メール作成時には、そのメーリングリストから宛先を順次読み出す。
【００３０】
以下、図３に示した第１デジタル記録再生装置１００ａ（又は他のデジタル記録再生装置１００ｂ〜１００ｅ）の動作について説明する。
アンテナ１ａで放送される番組の無線信号（電波）を受信し、チューナ部２でその無線信号を復調して選択されたチャンネルのＴＳ信号を得る。データコントロール部３でこのチャンネルのＴＳ信号と例えば番組予約のための録画ステータスコマンド信号のようなその他の信号とを判別し、ＴＳ信号は後段のデコーダ部５に出力し、その他の信号はコーディネータ部１５に転送する。
【００３１】
データコントロール部３は、第１デジタル記録再生装置１００ａで受信した番組の映像／音声信号（ＴＳ信号）をＴＳ用記録部４に記憶させる時には、ＣＰＵ９の制御に基づいて、その番組のＴＳ信号を、ランダムアクセス可能で情報の蓄積機能を有する記憶媒体を備えたＴＳ用記録部４に蓄積（記憶）させると共に、画像表示装置１２へモニタ表示させるために、後段のデコーダ部５に出力させる。
【００３２】
データコントロール部３は、ＴＳ用記録部４に蓄積（記憶）された番組のＴＳ信号を再生させる時には、ＣＰＵ９の制御に基づいて、その番組のＴＳ信号を、ＴＳ用記録部４より読み出し、画像表示装置１２へ再生出力表示させるために、後段のデコーダ５に出力させる。
【００３３】
図４は、図３に示したコーディネータ部１５の内部を周辺各部の内部と共に示すブロック図である。
ネットワークＩ／Ｆ部１３内のネットワーク通信制御部１３１は、例えば、インターネット接続し、ポイント・トゥー・ポイント・プロトコル（以下、ＰＰＰと記載）接続で、電子メールの送受信を実施する。
【００３４】
コーディネータ部１５には、ネットワークＩ／Ｆ部１３で受信された宛先が第１デジタル記録再生装置１００ａ宛のデータの内、データコントロール部３でＴＳ信号ではないと判断されたデータが入力される。コーディネータ部１５内の録画ステータスコマンド抽出部１５１は、入力されたＴＳ信号ではないデータ中から、電子メールに付随して送受信される録画予約に関する録画ステータスコマンド及び受信メールの送信元メールアドレスを抽出する。録画ステータスコマンドは、図６を用いて後述する。
【００３５】
録画ステータスコマンド抽出部１５１では、第１デジタル記録再生装置１００ａで受信した電子メールの信号が番組予約のための録画ステータスコマンドである時には、そのコマンドを抽出した後、録画予約の重複をチェックさせるために、番組の情報（録画ステータスコマンド）を録画重複期間チェック部１５２に送出する。
【００３６】
録画重複期間チェック部１５２は、入力した録画ステータスコマンドの録画予約情報と、録画ステータス記憶部６から読み出された登録済みの録画予約情報との期間の重複をチャックし、重複が無ければ番組録画予約情報を出力し、重複が有った場合には重複チェック結果がＮＧ（重複する予約が既に有る）旨を出力する。
【００３７】
録画重複期間チェック部１５２では、予約情報記憶部６１に格納されている録画予約に基づいて番組を録画するために、番組の放送番組情報データに含まれる放送日、放送開始時刻および放送時間と、すでに予約情報記憶部６１に保存されている他の録画予約番組の放送日、放送開始時刻および放送時間とを比較して録画期間の重複の有無をチェックする。録画重複期間チェック部１５２で、録画期間の重複が検出された場合、その検出情報は録画予約処理部１５３を介してメール作成部１５４へ通知される。
【００３８】
録画予約処理部１５３は、入力する番組録画予約情報に基づいて、録画ステータス記憶部６に番組の録画予約情報を格納する。録画予約処理部１５３には、録画予約情報の格納が完了した後、録画ステータス記憶部６を介して完了報告が通知される。不図示のタイマー手段等によりその予約された時間になったことが検出された場合には、録画予約処理部１５３は、予約内容に基づいて、ＣＰＵ９に番組の録画を開始するように指示を出力する。
【００３９】
メール作成部１５４は、他のデジタル記録再生装置に対する録画予約メールあるいは電子メール端末装置１０３へのメールを作成する。例えば、録画予約処理部１５３から通知される録画予約登録完了の報告をメッセージに加工するか、あるいは、録画予約処理部１５３を介して録画ステータス記憶部６の送出メッセージ記憶部６２内から読み出された送出メッセージに基づいて電子メールを作成し、ＩＤ記憶部１６内のメーリングリスト１０５に対応するメールアドレスリスト１０６あるいは受信メールの送信元アドレスから宛先を決定する。メール作成部１５４は、例えば、録画予約処理部１５３からの録画予約情報の格納の完了報告を受けて、電子メールを自動生成する。
【００４０】
メール作成部１５４内部のメーリングリストカウンタ１５４１は、ＩＤ記憶部１６内から読み出されたメーリングリストの何番目を宛先にしてメールを作成したかをカウントする。受信メール記憶部１５４２は、例えば、受信した電子メール送受信端末装置のメールアドレスを含んで録画予約メールの内容を格納する。
【００４１】
メール送信処理部１５５は、例えば、ＳＭＴＰ（Simple Mail Transfer Protocol）に従って、メール作成部１５４で作成された電子メールを指定された宛先に送信する。宛先は、上記したように電子メール端末装置１０３あるいはメーリングリスト１０５に対応するメールアドレスリスト１０６に予め格納された他のデジタル記録再生装置のメールアドレスである。例えば、ネットワークＩ／Ｆ１３内のネットワーク通信制御部１３１を介してインターネット接続されると、メール送信処理部１５５では、メール作成部１５４で作成された録画予約完了報告の電子メールを、ポイント・ツー・ポイントプロトコル（以下、ＰＰＰ接続とも記載する。）にて電子メール送受信端末装置１０３へ送信する。
【００４２】
録画ステータス記憶部６内には、録画予約処理部１５３により電子メール端末装置１０３からの電子メールで録画予約される番組の日時およびチャンネル等の情報が格納される予約情報記憶部６１、他のデジタル記録再生装置に対する録画予約メッセージや、電子メール端末装置１０３に対する録画予約終了メッセージあるいは録画予約不能メッセージ等が格納される送出メッセージ記憶部６２、メーリングリストに格納された他のデジタル記録再生装置に録画予約された番組の日時およびチャンネル等の情報が格納される他装置予約情報記憶部６３、録画予約された番組の録画が開始されたことを格納する実行情報記憶部６４が設けられる。
【００４３】
ここで、予約情報記憶部６１は、録画予約処理部１５３に入力された録画予約情報にもとづき、録画を行う番組のチャンネル、放送日、放送開始時刻、放送終了時刻、番組名などの放送番組情報データを格納し、録画予約処理部１５３からの要求によってデータ出力する記憶部である。
【００４４】
ＩＤ記憶部１６内には、図５を用いて後述するように、代理で録画予約可能な他のデジタル記録再生装置のメーリングリストが予め格納されるメーリングリスト記憶部１６１と、その各デジタル記録再生装置に対応するメールアドレスが予め格納されるメールアドレスリスト記憶部１６２が設けられる。
【００４５】
このように本実施の形態の第１デジタル記録再生装置１００ａのメール作成部１５４では、受信した番組の録画予約情報と登録済みの録画予約情報との期間の重複が有った場合には、ＩＤ記憶部１６内のメーリングリスト１０５から第１デジタル記録再生装置１００ａの録画予約を代理して実施する第２デジタル記録再生装置１００ｂを選択し、その第２デジタル記録再生装置１００ｂに向けて録画予約の２次電子メールを送信する。第１デジタル記録再生装置１００ａが、第２デジタル記録再生装置１００ｂから録画予約未完了の返信の２次電子メールを受信した場合には、第１デジタル記録再生装置１００ａのメール作成部１５４では、ＩＤ記憶部１６内のメーリングリスト１０５からその次の第３デジタル記録再生装置１００ｃを選択し、その第３デジタル記録再生装置１００ｃに向けて録画予約の２次電子メールを送信する。
【００４６】
第１デジタル記録再生装置１００ａは、上記の処理を、録画予約完了の２次電子メールを受信するか、メーリングリスト１０５の全デジタル記録再生装置から録画予約未完了の２次電子メールを受信するまで繰り返す。
【００４７】
これにより、第１デジタル記録再生装置１００ａは、例え、既に録画予約されている番組と録画予約時間帯が重複しても、電子メール送受信端末装置の使用者が希望する番組を確実に録画予約することができる。
【００４８】
図５（a）は、ＩＤ記憶部１６に予め格納されるメール可能なデジタル記録再生装置のＩＤ番号のデータの一覧（メーリングリスト）を示す図であり、図５（b）は、図５（a）のＩＤ番号に対応させたメールアドレスリストのデータの一覧（メールアドレスリスト）を示す図である。
【００４９】
ＩＤ記憶部１６内のメーリングリスト記憶部１６１には、図５（a）に示したように、メール可能なデジタル記録再生装置のＩＤ番号のデータ１００ａ、１００ｂ、１００ｃ、１００ｄ、…、１００ｅが、１からＸまでの連続する番号Ｎ（Ｎは正の整数）が順に各々に付与された一覧形式でメーリングリスト１０５として予め格納される。
【００５０】
ＩＤ記憶部１６内のメールアドレスリスト記憶部１６２には、図５（b）に示したように、図５（a）のメーリングリスト１０５のＩＤ番号のデータ１００ａ、１００ｂ、１００ｃ、１００ｄ、…、１００ｅに１：１で対応させて、各デジタル記録再生装置のメールアドレス１００ａ＿ｄｉｇｉｔａｌ＿ｒｅｃ＠ａａａ．ｃｏ．ｊｐ各デジタル記録再生装置のメールアドレス100a_digital_rec@aaa.co.jp等が一覧形式でメールアドレスリスト１０６として予め格納される。
【００５１】
ＩＤ記憶部１６内のメーリングリスト１０５には、番組録画予約のために予め視聴者により決定される各デジタル記録再生装置の優先順位（順番）が各デジタル記録再生装置器のＩＤ番号と共に格納されており、メールアドレスリスト１０６には、各デジタル記録再生装置器のＩＤ番号とそれに対応する各デジタル記録再生装置器のメールアドレスが格納されている。メーリングリスト１０５およびメールアドレスリスト１０６は、メール作成部１５４により用いられ、例えば、受信した元の録画予約メールの宛先のメールアドレスとＩＤ番号を、次のメールアドレスとＩＤ番号に書き換える際の処理等に使用される。
【００５２】
図６（a）は、録画予約の録画ステータスコマンドの一例を示す図であり、図６（b）は、録画予約内容が入力された場合の電子メール送受信端末装置１０３の表示画面を示す図である。
【００５３】
図６（a）は、図４の録画ステータスコマンド抽出部１５１で受信した電子メールから抽出され、録画ステータス記憶部６の予約情報記憶部６１に格納される録画予約の内容を含む録画ステータスコマンドである。図６（a）において、ｃｈは録画希望の番組の放送チャンネル、ｔＭはその番組の放送日、ｔＨはその番組の録画開始時刻、ｔＦはその番組の録画終了時刻、ｆｎは録画予約を希望するデジタル記録再生装置のＩＤ番号である。
【００５４】
図６（b）は、電子メール送受信端末装置１０３で、例えば、入力キーにより電子メールで送信される録画予約内容が入力され、その内容が操作入力者の確認のために表示画面に示されている状態を示す図である。図６（b）は、一例として、２月７日の午後７時００分から午後８時００分までの間で２チャンネル（ｃｈ）で放送される番組をデジタル記録再生装置１００ａにより録画させる内容である。
【００５５】
図７（a）は、電子メール送受信端末装置１０３で宛先指定された第１のデジタル記録再生装置１００ａが録画予約の電子メールを受信した場合のＣＰＵ９の制御動作を示すフローチャートであり、図７（b）は、第１のデジタル記録再生装置１００ａが第２のデジタル記録再生装置１００ｂ等からの録画予約についての返信メールを受信した場合のＣＰＵ９の制御動作を示すフローチャートである。
【００５６】
図７（a）の場合の第１のデジタル記録再生装置１００ａでは、電子メール送受信端末装置１０３で宛先指定された録画予約のステータスコマンドを含む最初の電子メール（１次録画予約メール）を受信した場合、ＣＰＵ９が、録画ステータスコマンド抽出部１５１で受信メールの送信元のメールアドレスと録画ステータスコマンドを抽出させ、その録画ステータスコマンドに対して、第１のデジタル記録再生装置１００ａの機能、仕様、あるいは、設定上から録画予約処理が受け付け可能であるか否かを判断する（Ｓ１）。
【００５７】
第１のデジタル記録再生装置１００ａの録画予約が不可能である場合（Ｓ１：ＮＯ）には、ステップＳ５に進む。第１のデジタル記録再生装置１００ａの録画予約が可能である場合（Ｓ１：ＹＥＳ）には、ＣＰＵ９が、録画重複期間チェック部１５２に、録画ステータスコマンドの各録画予約情報を用いて、録画ステータス記憶部６内の予約情報記憶部６１に格納された既に録画予約されている番組の録画予約情報とを比較させて録画予約の重複期間の有無をチェックさせ（Ｓ２）、そのチェック結果から電子メール（１次録画予約メール）による録画予約が可能であるか否かを判断する（Ｓ３）。
【００５８】
なお、本実施の形態では、全てのデジタル記録再生装置におけるチューナ部２が１個である場合について説明しているが、例えば、チューナ部を２個有するデジタル記録再生装置では、同時に異なる２番組を録画できる場合があり、その場合であれば、録画ステータスコマンドの各録画予約情報の録画期間中に、録画予約されている２番組の録画期間が重複するかがチェックされればよい。
【００５９】
録画予約の重複期間が無い場合（Ｓ３：ＮＯ）には、ＣＰＵ９が、録画予約処理部１５３に、録画ステータスコマンドの各録画予約情報を、録画ステータス記憶部６の予約情報記憶部６１に登録させ（Ｓ４）、メール作成部１５４に、録画ステータス記憶部６の送出メッセージ記憶部６２に格納された録画予約完了メッセージに基づいて、受信メール記憶部１５４２に格納された録画予約メールの送信元アドレスの電子メール送受信端末装置１０３を宛先とする録画予約完了メール（１次返信メール）を自動作成させ、メール送信処理部１５５からその録画予約完了メールを送信させる（Ｓ６）。
【００６０】
録画予約の重複期間が有る場合（Ｓ３：ＹＥＳ）には、ＣＰＵ９が、メール作成部１５４に、受信メール記憶部１５４２に格納された録画予約メールに基づいて、メーリングリスト１０５に記載された次のデジタル記録再生装置を宛先とする２次の録画予約メールを作成させ、メール送信処理部１５５からその２次録画予約メールを送信させる（Ｓ５）。
【００６１】
図７（b）の場合の第１のデジタル記録再生装置１００ａでは、第２のデジタル記録再生装置１００ｂで宛先指定され、録画予約の結果を含んだ電子メール（２次返信メール）を受信した場合、ＣＰＵ９が、録画ステータスコマンド抽出部１５１に、２次返信受信メールの送信元のメールアドレスと録画ステータスコマンドを抽出させ、録画予約の結果として録画予約が未完了であり録画予約できなかった旨を示す電子メールであるか否かを判断する（Ｓ７）。
【００６２】
第２のデジタル記録再生装置１００ｂで録画予約できた旨を示す電子メール（２次返信メール）であった場合（Ｓ７：ＮＯ）には、ＣＰＵ９が、メール作成部１５４に、録画ステータス記憶部６の送出メッセージ記憶部６２に格納された録画予約完了メッセージに基づいて、受信メール記憶部１５４２に格納された録画予約メールの送信元アドレスの電子メール送受信端末装置１０３を宛先として、第２のデジタル記録再生装置１００ｂを録画場所とする録画予約完了メール（１次返信メール）を自動作成させ、メール送信処理部１５５からその録画予約完了メール（１次返信メール）を送信させる（Ｓ６ａ）。
【００６３】
第２のデジタル記録再生装置１００ｂで録画予約できなかった旨を示す電子メール（２次返信メール）であった場合（Ｓ７：ＹＥＳ）には、ＣＰＵ９が、メール作成部１５４のメーリングリストカウンタ１５４１に、メーリングリスト１０５の全アドレスに対する２次録画予約メールの送信が終了したか否かを判定する（Ｓ８）。
【００６４】
メーリングリスト１０５の全アドレスに対する２次録画予約メールの送信が終了した場合（Ｓ８：ＹＥＳ）には、ＣＰＵ９が、メール作成部１５４に、録画ステータス記憶部６の送出メッセージ記憶部６２に格納された録画予約未完了メッセージに基づいて、受信メール記憶部１５４２に格納された録画予約メールの送信元アドレスの電子メール送受信端末装置１０３を宛先とする録画予約未完了メール（１次返信メール）を自動作成させ、メール送信処理部１５５からその録画予約未完了メール（１次返信メール）を送信させる（Ｓ９）。
【００６５】
メーリングリスト１０５の全アドレスに対する２次録画予約メールの送信が終了していない場合（Ｓ８：ＮＯ）には、メール作成部１５４に、受信メール記憶部１５４２に格納された録画予約メールに基づいて、メーリングリスト１０５に記載された次のデジタル記録再生装置を宛先とする２次録画予約メールを作成させ、メール送信処理部１５５からその２次録画予約メールを送信させる（Ｓ５ａ）。
【００６６】
この場合は、デジタル記録再生装置１００ａは、図７（b）のＳ８においてメーリングリスト１０５に登録された全ての第２のデジタル記録再生装置１００ｂ〜１００ｅに録画予約メールを送信して、それに対する全ての返信メールが録画予約未完了だったらＳ９のステップに進み、メーリングリスト１０５の全機種において録画予約できなかったことを電子メール送受信端末１０３へメール送信して報告している。つまり、本実施の形態の場合の、第１のデジタル記録再生装置１００ａに対する代理記憶は、第１のデジタル記録再生装置１００ａが、第２のデジタル記録再生装置１００ｂ〜１００ｅのいずれかから録画予約完了のメールを受領するまで、もしくは、メーリングリスト１０５に登録された全ての第２のデジタル記録再生装置１００ｂ〜１００ｅから録画予約メールに対する録画予約未完了の返信メールを受信するまで行われる。
【００６７】
図８は、第１のデジタル記録再生装置１００ａで宛先指定された第２のデジタル記録再生装置１００ｂが２次の録画予約の電子メールを受信した場合のＣＰＵ９の制御動作を示すフローチャートである。
なお、第３のデジタル記録再生装置１００ｃ、第４のデジタル記録再生装置１００ｄ、および、第Ｘのデジタル記録再生装置１００ｅの動作については、第２のデジタル記録再生装置１００ｂと同様であるので説明を省略する。
【００６８】
図８の場合の第２のデジタル記録再生装置１００ｂでは、第１のデジタル記録再生装置１００ａで宛先指定された録画予約のステータスコマンドを含む電子メール（２次録画予約メール）を受信した場合、ＣＰＵ９が、録画ステータスコマンド抽出部１５１に受信メールの送信元のメールアドレスと録画ステータスコマンドを抽出させ、その録画ステータスコマンドに対して、第２のデジタル記録再生装置１００ｂの機能、仕様、あるいは、設定上から録画予約処理が受け付け可能であるか否かを判断する（Ｓ１ｂ）。
【００６９】
第２のデジタル記録再生装置１００ｂの録画予約が不可能である場合（Ｓ１ｂ：ＮＯ）には、ステップＳ１０に進む。第２のデジタル記録再生装置１００ｂの録画予約が可能である場合（Ｓ１ｂ：ＹＥＳ）には、ＣＰＵ９が、録画重複期間チェック部１５２に、録画ステータスコマンドの各録画予約情報を用いて、録画ステータス記憶部６内の予約情報記憶部６１に格納された既に録画予約されている番組の録画予約情報とを比較させて録画予約の重複期間の有無をチェックさせ（Ｓ２ｂ）、そのチェック結果から電子メール（２次録画予約メール）による録画予約が可能であるか否かを判断する（Ｓ３ｂ）。
【００７０】
録画予約の重複期間が有る場合（Ｓ３ｂ：ＹＥＳ）には、ＣＰＵ９が、メール作成部１５４に、録画ステータス記憶部６の送出メッセージ記憶部６２に格納された録画予約未完了メッセージに基づいて、メーリングリスト１０５又は受信メール記憶部１５４２に格納された録画予約メールの送信元アドレスの第１デジタル記録再生装置１００ａを宛先とする録画予約未完了メール（２次返信メール）を作成させ、メール送信処理部１５５からその録画予約未完了メール（２次返信メール）を送信させる（Ｓ１０）
【００７１】
録画予約の重複期間が無い場合（Ｓ３ｂ：ＮＯ）には、ＣＰＵ９が、録画予約処理部１５３に、録画ステータスコマンドの各録画予約情報を、録画ステータス記憶部６の予約情報記憶部６１に登録させ（Ｓ４ｂ）、メール作成部１５４に、録画ステータス記憶部６の送出メッセージ記憶部６２に格納された録画予約完了メッセージに基づいて、メーリングリスト１０５又は受信メール記憶部１５４２に格納された録画予約メールの送信元アドレスの第１デジタル記録再生装置１００ａを宛先とする録画予約完了メール（２次返信メール）を作成させ、メール送信処理部１５５からその録画予約完了メール（２次返信メール）を送信させる（Ｓ１１）。
【００７２】
図９は、第１のデジタル記録再生装置１００ａにおける重複予約時のみのＣＰＵ９の詳細な制御動作（図７（b）のＳ８、Ｓ５ａ、Ｓ９に相当）を示すフローチャートである。
図９の場合の第１のデジタル記録再生装置１００ａでは、第２のデジタル記録再生装置１００ｂからの録画予約結果を含んだ電子メール（２次返信メール）を受信した場合で、ＣＰＵ９が、録画予約の結果として録画予約が未完了であり録画予約できなかった旨を示す電子メール（２次返信メール）であると判断した場合（図７（b）のＳ７：ＹＥＳ）には、例えば、受信メールの送信元のメールアドレスに基づき、メールアドレスリスト１０６を用いて送信元のＩＤ番号を確認し（Ｓ２１）、そのＩＤ番号とメーリングリスト１０５を用いて、受信メールのＩＤ番号が、リスト中の何番目であるかを確認する（Ｓ２２）。ここでは、受信メールのＩＤ番号をＮ番目（Ｎ：正の整数）とし、リスト中の最後のＩＤ番号をＸ番目（Ｘ：正の整数でＮ≦Ｘ）とする。
【００７３】
ＣＰＵ９は、受信メールのＩＤ番号Ｎがリスト中の最後のＩＤ番号Ｘに達したか否か（Ｎ＝Ｘ？）を判断する（Ｓ２３）。Ｎ＝Ｘであった場合（Ｓ２３：ＹＥＳ）には、ＣＰＵ９は、メーリングリスト１０５における全てのデジタル記録再生装置に２次録画予約メールを送信したと判定し（Ｓ２４）、ステータス記憶部６の送出メッセージ記憶部６２から録画予約未完了メッセージを読み出し、電子メール送受信端末装置からの受信メールの送信元アドレスを宛先として録画予約未完了メール（１次返信メール）を作成し、メール送信処理部１５５からその録画予約未完了メール（１次返信メール）を送信する（Ｓ２５）。
【００７４】
一方、Ｎ＝Ｘではない場合（Ｓ２３：ＮＯ）には、ＣＰＵ９は、メーリングリスト１０５における次のデジタル記録再生装置を選択するため、Ｎ＝Ｎ＋１の演算を実施し（Ｓ２６）、その後、メーリングリスト１０５の第Ｎ番のＩＤ番号に対応するメールアドレスをメールアドレスリスト１０６から検出し、メール作成部１５４でそのアドレスを宛先として２次録画予約メールを作成し（Ｓ２７）、メール送信処理部１５５からその２次録画予約メールを送信する（Ｓ２８）。
【００７５】
この場合は、図９中のＳ２１、Ｓ２２でメーリングリスト番号をチェックし、Ｓ２３でＮ＝Ｘの時に、登録された全ての第２のデジタル記録再生装置１００ｂ〜１００ｅに録画予約メールを送信して、それに対する全ての返信メールが録画予約未完了だったことになり、第１のデジタル記録再生装置１００ａを含む全てのデジタル記録再生装置に録画予約を登録できなかったことになる。第１のデジタル記録再生装置１００ａでは、この結果を受けて、録画予約未完了の電子メールを電子メール送受信端末装置１０３に送信する。
【００７６】
従って、本実施の形態の番組録画予約システムは、電子メール送受信端末装置の使用者は、外出先等から番組を録画予約させるための第１デジタル記録再生装置に対する１次電子メールを送信するのみである。その１次電子メールを受信した第１のデジタル記録再生装置が、既に録画予約されている番組との録画時間の重複を確認し、録画時間が重複した場合、第１のデジタル記録再生装置に予め登録されているメーリングリストに基づき、第２のデジタル記録再生装置に対して代理で録画予約させるための２次電子メールを自動作成して送信する。従って、本実施の形態の番組録画予約システムでは、番組の録画予約をする際に、電子メール送受信端末装置の使用者から１通の１次電子メールを第１デジタル記録再生装置に送信するのみで、既に録画予約されている番組と録画予約時間帯が重複しても、従来よりも確実に録画を予約させることができる。
【００７７】
また、本実施の形態の番組録画予約システムは、さらに、上記した録画予約の２次電子メールを受信した第２のデジタル記録再生装置でも、その録画予約が既に登録されている番組の録画予約時間と重複していて録画予約できない場合は、第２のデジタル記録再生装置は、第１のデジタル記録再生装置に対して録画予約が未完了である旨の返信の２次電子メールを送信する。そして、未完了の返信の２次電子メールを受信した第１のデジタル記録再生装置は、予め登録されているメーリングリストに基づき、次の第３のデジタル記録再生装置に対して、上記同様、代理で録画予約させるための２次電子メールを自動作成して送信する。第１のデジタル記録再生装置は、上記した処理を、録画予約完了の返信の２次電子メールを受信するか、メーリングリストの全デジタル記録再生装置から録画予約未完了の返信の２次電子メールを受信するまで繰り返す。従って、本実施の形態の番組録画予約システムでは、従来よりもさらに確実に録画を予約させることができる。
【００７８】
また、本実施の形態の番組録画予約システムは、メーリングリストに記載できるデジタル記録再生装置は、代理で録画予約させるための２次電子メールを電子メールにより送受信するので、公衆通信回線網に接続されてメール送受信可能なデジタル記録再生装置であれば、電子メール送受信端末装置の使用者の自宅内に設置された装置に限る必要はない。例えば、電子メール送受信端末装置の関係する事業所や別居する家族等の家に設置されたデジタル記録再生装置に番組の代理の録画予約ができるので、電子メール送受信端末装置の使用者にとっても代理で録画予約させるデジタル記録再生装置の追加が容易である。従って、本実施の形態の番組録画予約システムでは、代理予約させるデジタル記録再生装置のシステム拡張が容易であり、さらに、各デジタル記録再生装置の利用効率を向上させることができる。
【００７９】
このように本実施の形態の番組録画予約システムでは、放送される時間帯が既に録画予約された番組と重複している番組を１通の電子メールにより確実に録画予約できる番組録画予約システムを提供でき、実際にデジタル記録再生装置に録画予約された結果が電子メール送受信端末装置に返信されるので、録画予約内容と録画予約の制御結果とを一致させることができ、電子メールにより一つのデジタル記録再生装置に録画予約することが不可能である場合には他のデジタル記録再生装置に録画予約させることができるという効果を有する。
【００８０】
実施の形態２．
本発明の実施の形態２の番組録画予約システムの構成は、上記した実施の形態１と略同様であるが、使用者が任意のデジタル記憶装置をプロテクトできるようにするために、コーディネータ部の内部構成、コマンドおよび処理内容、記憶内容、メッセージ内容、電子メール送受信端末装置の表示内容等が相違している。
図１０は、本発明の実施の形態２の番組録画予約システムのデジタル記録再生装置におけるコーディネータ部の内部を周辺各部の内部と共に示すブロック図である。
図１０のコーディネータ部１５ａが、実施の形態１の図４に示したコーディネータ部１５と主に異なる点は、以下の各点である。
【００８１】
（１）コーディネータ部１５ａの内部に、ＣＰＵ９制御による切り替え制御で録画予約を拒絶することができるプロテクト制御部１５６が、録画ステータスコマンド抽出部１５１と録画重複期間チェック部１５２との間に設けられている。
【００８２】
（２）プロテクト制御部１５６は、１次録画予約メールを受信した場合に、録画ステータスコマンド抽出部１５１で抽出された録画ステータスコマンドに対して、録画予約を拒絶の設定に従って録画予約処理が受け付け可能であるか否かを判断する。
【００８３】
（３）プロテクト制御部１５６に録画予約の拒絶が設定されている場合、録画重複期間チェック部１５２は、入力される録画ステータスコマンドに対して期間の重複を確認する処理を実施せずスルーさせて、録画予約処理部１５３にそのまま出力する。
【００８４】
（４）録画ステータス記憶部６ａの送出メッセージ記憶部６２ａには、録画予約が拒絶されている場合に対応させて、例えば「録画予約メール受信受け入れ不可です。」等の返信の電子メールに使用されるメッセージが格納されている。
【００８５】
（５）プロテクト制御部１５６内には、録画予約を拒絶する期間が設定された場合に、その拒絶期間を計時するためのタイマ１５６１が設けられている。
【００８６】
（６）録画ステータス記憶部６ａの送出メッセージ記憶部６２ａには、録画予約を拒絶する期間が設定された場合に対応させて、例えば「○月○日ｘｘ時〜ｚｚ時まで録画予約メール受信受け入れ不可です。」等の録画予約の拒絶期間中の返信の電子メールに使用されるメッセージが格納されている。
本実施の形態のその他の構成および処理内容は、実施の形態１の構成と同様である。
【００８７】
図１１は、本実施の形態の第２のデジタル記録再生装置１００ｂが録画予約の電子メールを受信した場合のＣＰＵ９の制御動作を示すフローチャートであり、実施の形態１の図８に対応する。
図１１の場合の第２のデジタル記録再生装置１００ｂでは、第１のデジタル記録再生装置１００ａで宛先指定された録画予約のステータスコマンドを含む電子メール（２次録画予約メール）を受信した場合、ＣＰＵ９が、録画ステータスコマンド抽出部１５１に受信メールの送信元のメールアドレスと録画ステータスコマンドを抽出させ、その録画ステータスコマンドに対して、プロテクト制御部１５６の「録画予約の拒絶」がＯＮ設定であるかＯＦＦ設定であるかにより、録画予約処理が受け付け可能であるか否かを判断する（Ｓ１ｃ）。
【００８８】
第２のデジタル記録再生装置１００ｂの録画予約が不可能である場合（Ｓ１ｂ：ＮＯ）には、タイマー１５６１が設定期間中ではない場合にはステップＳ１２に進み、タイマー１５６１が設定期間中である場合にはステップＳ１３に進む。第１のデジタル記録再生装置１００ａの録画予約が可能である場合（Ｓ１ｂ：ＹＥＳ）の処理内容は、ステップＳ２ｂ、Ｓ３ｂ、Ｓ４ｂ、Ｓ１０、および、Ｓ１１については、図８に示した実施の形態１の場合のステップＳ２ｂ、Ｓ３ｂ、Ｓ４ｂ、Ｓ１０、および、Ｓ１１と同様であるので重複する説明を省略する。
【００８９】
第２のデジタル記録再生装置１００ｂの録画予約がプロテクト設定されているため不可能である場合（Ｓ１ｂ：ＮＯ）の動作についてさらに詳しく説明する。
第２のデジタル記録再生装置１００ｂで、図１０のコーディネータ部１５ａのプロテクト制御部１５６において、録画予約の２次電子メールの受信受け入れを拒絶するプロテクトがＣＰＵ９によりＯＮ設定されている場合、録画ステータスコマンド抽出部１５１で抽出される２次録画予約メール中の録画ステータスコマンド１０７は、プロテクト制御部１５６から出力されると録画重複期間チェック部１５２を無処理で通過あるいはバイパスされ、録画予約処理部１５３に入力される。録画予約処理部１５３では、録画ステータス記憶部６ａの送出メッセージ記憶部６２ａに記憶されている録画予約が未完了の場合の各種メッセージの中から“録画予約メール受信受け入れ不可です。”のメッセージを呼び出し、録画ステータスコマンド１０７と共にメール作成部１５４に出力する。
【００９０】
メール作成部１５４では、入力したメッセージと録画ステータスコマンド１０７に基づいて電子メールを自動作成し、宛先は受信した録画予約の２次電子メールの送信元である第１のデジタル記録再生装置１００ａとする。作成された返信の２次電子メールはメール送信処理部１５５から第１のデジタル記録再生装置１００ａに送出される。
【００９１】
第１のデジタル記録再生装置１００ａでは、この“録画予約メール受信受け入れ不可です。”のメッセージを含む返信の２次電子メールを受信した場合、図７（b）のステップＳ８以降の処理に加えて、録画ステータスコマンド抽出部１５１により、その返信の２次電子メールに付随するＩＤ番号や受け入れ不可の理由を示す＜プロテクト＞等のステータスログコマンドを抽出し、例えば録画ステータス記憶部６ａの他装置予約情報記憶部６３に記憶しておく。
【００９２】
次に、第１のデジタル記録再生装置１００ａがプロテクト設定されている時の動作を説明する。
第１のデジタル記録再生装置１００ａで、図１０のコーディネータ部１５ａのプロテクト制御部１５６において、録画予約の１次電子メールの受信受け入れを拒絶するプロテクトがＣＰＵ９によりＯＮ設定されている場合、録画ステータスコマンド抽出部１５１で抽出される１次録画予約メール中の録画ステータスコマンド１０７は、プロテクト制御部１５６および録画重複期間チェック部１５２を無処理で通過あるいはバイパスされ、録画予約処理部１５３に入力される。録画予約処理部１５３では、録画ステータス記憶部６ａの送出メッセージ記憶部６２ａに記憶されている録画予約が未完了の場合の各種メッセージの中から“録画予約メール受信受け入れ不可です。”のメッセージを呼び出し、録画ステータスコマンド１０７と共にメール作成部１５４に出力する。
【００９３】
メール作成部１５４では、入力したメッセージと録画ステータスコマンド１０７に基づいて電子メールを自動作成し、宛先は受信した録画予約の１次電子メールの送信元である電子メール送受信端末装置１０３とする。作成された返信の１次電子メールはメール送信処理部１５５から電子メール送受信端末装置１０３に送出される。また、第１のデジタル記録再生装置１００ａは自機がプロテクト設定されていた事をログとして予約情報記憶部６１に記憶しておく。第１デジタル記録再生装置１００ａのその他の場合のＣＰＵ９の制御動作は、図７（a）、図７（b）に示した実施の形態１の場合と同様であるので重複する説明を省略する。
【００９４】
また、本実施の形態のデジタル記録再生装置では、プロテクト制御部１５６内のタイマー１５６１をＣＰＵ９で設定することにより、任意の期間だけプロテクトを設定することができる。その場合のプロテクト動作は設定された期間内のみとなる。プロテクト動作は上記と同様である。
【００９５】
図１２（a）は、録画予約が拒絶（プロテクト）されている場合の返信の電子メールを受信した場合の電子メール送受信端末装置１０３の表示画面を示す図であり、図１２（b）は、期間設定されて録画予約が拒絶されている場合の返信の電子メールを受信した場合の電子メール送受信端末装置１０３の表示画面を示す図である。
【００９６】
図１２（a）は、例えば、上記したデジタル記録再生装置１００ａがプロテクト設定されている場合の、電子メール送受信端末装置１０３の表示画面であり、受信した返信の１次電子メールの「録画予約メール受信受け入れ不可です。」と、受信不可であるデジタル記録再生装置１００ａのＩＤ番号「１００ａ」、及び、録画予約が拒絶設定されているために不可であることを示す「プロテクト」の各文字が示されている。
【００９７】
図１２（b）は、例えば、上記したデジタル記録再生装置１００ａが２月７日の午後７時００分から午後８時００分までプロテクト設定されている場合の、電子メール送受信端末装置１０３の表示画面であり、受信した返信の１次電子メールの「録画予約メール受信受け入れ不可です。」と、受信不可であるデジタル記録再生装置１００ａのＩＤ番号「１００ａ」、プロテクト期間である２／７、ＰＭ７：００−ＰＭ８：００、及び、録画予約が拒絶設定されているために不可であることを示す「プロテクト」の各文字が示されている。
【００９８】
本実施の形態の番組録画予約システムでは、例えば、第２のデジタル記録再生装置１００ｂについては、その使用者が、マニュアル操作で録画する使用予定があるために所定の記録容量を確保しておきたい場合、第２のデジタル記録再生装置１００ｂを予めプロテクト設定しておくことで、第１のデジタル記録再生装置からの電子メールによる録画予約を拒絶でき、それにより第２のデジタル記録再生装置１００ｂに所定の記録容量を確保させることができる。
【００９９】
このように本実施の形態の番組録画予約システムでは、上記した実施の形態１の効果に加えて、システム中の任意のデジタル記録再生装置に電子メールによる録画予約を拒絶するプロテクト状態を設定することができ、必要に応じてプロテクトする期間も設定できるので、使用者の使用予定に合わせて任意のデジタル記録再生装置の記録容量を確保することができるという効果を有する。
【０１００】
実施の形態３．
本発明の実施の形態３の番組録画予約システムの構成は、使用者が任意のデジタル記憶装置をプロテクトできるようにする場合の実施の形態２と同様であるが、本実施の形態では、使用者が録画ステータスログを確認できるようにするために、コマンドおよび処理内容、記憶内容、メッセージ内容、電子メール送受信端末装置の表示内容等が相違している。本実施の形態の下記した以外の処理内容は、実施の形態２の構成と同様である。
【０１０１】
図１３（a）は、本発明の実施の形態３の番組録画予約システムにおける録画ステータスログ要求の録画ステータスコマンドの一例を示す図であり、図１３（b）は、録画ステータスログ要求内容が入力された場合の電子メール送受信端末装置１０３の表示画面を示す図である。
【０１０２】
図１３（a）は、図１０の録画ステータスコマンド抽出部１５１で受信した電子メールから抽出され、録画ステータス記憶部６ａの予約情報記憶部６１に格納される録画ステータスログ要求の内容を含む録画ステータスコマンド１０８を示す図である。図１３（a）において、ｃｈ、ｔＭ、ｔＨ、ｔＦ、ｆｎは、図６（a）に示され上記した録画ステータスコマンド１０７の内容と同様であるので説明を省略する。
【０１０３】
図１３（b）は、図６（b）に示された録画予約時の表示内容に対応する録画ステータスログ要求の表示内容であるが、現状の録画予約内容のログを要求するため、確認したいデジタル記録再生装置のＩＤ番号のみが入力され表示されている。
【０１０４】
図１４（a）は、録画ステータスログ要求に対する返信を受信した場合の電子メール送受信端末装置１０３の表示画面を示す図であり、図１４（b）は、経緯の録画ステータスログ要求に対する返信を受信した場合の電子メール送受信端末装置１０３の表示画面を示す図であり、図１４（ｃ）は、録画ステータスログ要求に対して既に録画実行中の返信を受信した場合の電子メール送受信端末装置１０３の表示画面を示す図である。
【０１０５】
図１４（a）は、番組録画予約システムの使用者が録画予約内容を確認するための画面であり、録画予約時の入力画面（図６（a））と同様である。図１４（b）では、２月７日の午後７時００分から午後８時００分までの間で２チャンネル（ｃｈ）で放送される番組がデジタル記録再生装置１００ａにより録画予約されていることが確認できる。
【０１０６】
図１４（b）は、番組録画予約システムの使用者が録画予約内容を経緯で確認するための画面である。図１４（b）では、第１デジタル記録再生装置１００ａは、録画予約時間が重複している録画予約が既に登録されていたための録画予約不能であり、第２デジタル記録再生装置１００ｂは、録画予約がプロテクトされていたための録画予約不能であり、第３デジタル記録再生装置１００ｃは、録画予約が午後７時００分〜午後８時００分の期間でプロテクトされていたための録画予約不能であり、第４デジタル記録再生装置１００ｄで、やっと録画予約が登録（ＯＫ）になっていることが確認できる。
【０１０７】
図１４（ｃ）では、２月７日の午後７時００分から午後８時００分までの間で２チャンネル（ｃｈ）で放送されている番組を、デジタル記録再生装置１００ｄにより録画実行中であることが確認できる。
【０１０８】
図１５は、本実施の形態で録画予約されたデジタル記録再生装置が録画時間を検出して録画を開始した時の動作を示すフローチャートである。
録画予約されたデジタル記録再生装置では、図示しないタイマー等の計時手段の計時結果により録画予約時間になったか否かが判断される（Ｓ３１）。録画予約時間になっていない場合（Ｓ３１：ＮＯ）には、再びステップＳ３１の判断が繰り返される。録画予約時間になった場合（Ｓ３１：ＹＥＳ）には、録画ステータス記憶部６ａの予約情報記憶部６１に格納されている予約番組の録画を開始させるように録画予約処理部１５３を介してＣＰＵ９に通知される（Ｓ３２）。
【０１０９】
ＣＰＵ９は、予約番組の録画を開始させる通知を受信すると、データコントロール部３に向けて、チューナ部２から入力する番組のＴＳ信号をＴＳ用記録部４に指示する（Ｓ３３）。データコントロール部３では、ＴＳ用記録部４への番組のＴＳ信号の録画が開始されたことを検出してＣＰＵ９に通知する（Ｓ３４）。ＣＰＵ９では、録画が開始されたことを録画ステータス記憶部６ａに通知し（Ｓ３５）、録画ステータス記憶部６ａの実行情報記憶部６４に録画予約されていた番組の録画が開始されたことをログに記録する（Ｓ３６）。
【０１１０】
その後、ＣＰＵ９は、受信メールから抽出された録画ステータスコマンドから、受信メールが、録画ステータスログ要求を含むか否かを判断し（Ｓ３７）、録画ステータスログ要求を含まない場合（Ｓ３７：ＮＯ）には処理を終了し、録画ステータスログ要求を含む場合（Ｓ３７：ＹＥＳ）にはメール作成部１５４で録画ステータスログを含む電子メールを作成して電子メール送受信端末装置１０３へ送信する（Ｓ３８）。
【０１１１】
図１６は、第１のデジタル記録再生装置が録画ステータスログ要求を含む１次電子メールを受信した場合の動作を示すフローチャートである。
第１のデジタル記録再生装置１００ａは、録画ステータスログ要求を含む１次電子メールを受信すると、図７（a）を用いて実施の形態１で説明したように録画ステータスコマンドを抽出して、実施の形態１の録画予約の要求に代えて録画ステータスログ要求が含まれているか否かを判断する。例えば、図１０の録画ステータスコマンド抽出部１５１でログを要求する録画ステータスコマンド１０８が抽出されると、その録画ステータスコマンド１０８は、後段に設けられたプロテクト制御部１５６および録画重複期間チェック部１５２における処理を実施させずに通過またはバイパスされるように録画予約処理部１５３に出力される。録画ステータスコマンド１０８を受信した録画予約処理部１５３では、録画ステータス記憶部６ａの予約情報記憶部６１、他装置予約情報記憶部６３、および、実行情報記憶部６４内の録画ステータスログを呼び出すように指示を出力する。
【０１１２】
そして、録画ステータスログ要求が含まれている場合には、第１のデジタル記録再生装置１００ａは、録画ステータス記憶部６ａの予約情報記憶部６１、他装置予約情報記憶部６３、および、実行情報記憶部６４に格納されたログ情報を確認し（Ｓ４１）、まず、各ログ情報から録画予約されていた番組の録画が実行中であるか否かを判断する（Ｓ４２）。そして、録画予約されていた番組の録画が実行中である場合（Ｓ４２：ＹＥＳ）には、第１のデジタル記録再生装置１００ａは、実行情報記憶部６４に格納された実行情報のログを選択する（Ｓ４３）。
【０１１３】
録画予約されていた番組の録画が実行中ではない場合（Ｓ４２：ＮＯ）には、第１のデジタル記録再生装置１００ａは、受信した録画ステータスログ要求が録画予約登録までの経緯を含むか否かを判断する（Ｓ４６）。録画予約登録までの経緯を含む場合（Ｓ４６：ＹＥＳ）には、第１のデジタル記録再生装置１００ａは、録画予約登録までの経緯と判定し（Ｓ４７）、録画ステータス記憶部６ａにおいて、予約情報記憶部６１および他装置予約情報記憶部６３からその番組の録画予約に関係した全てのデジタル記録再生装置の録画予約情報のログを選択する（Ｓ４８）。
【０１１４】
録画予約登録までの経緯を含まない場合（Ｓ４６：ＮＯ）には、第１のデジタル記録再生装置１００ａは、録画ステータス記憶部６ａにおいて、予約情報記憶部６１および他装置予約情報記憶部６３からその番組が録画予約されたデジタル記録再生装置のみの録画予約情報のログを選択する（Ｓ４９）。
【０１１５】
第１のデジタル記録再生装置１００ａは、図１５のステップＳ３８に従って、メール作成部１５４で、選択されたログを含む返信の１次電子メールを作成し（Ｓ４４）、その電子メールをメール送信処理部１５５から電子メール端末装置１０３に送信する（Ｓ４５）。
【０１１６】
ここでは、例えば、図７（b）を用いて実施の形態１で説明したように録画ステータスコマンドを抽出して、実施の形態１の録画予約の要求に代えて録画ステータスログ要求が含まれているか否かを判断する。例えば、図１０の録画ステータスコマンド抽出部１５１でログを要求する録画ステータスコマンド１０８が抽出されると、その録画ステータスコマンド１０８は、後段に設けられたプロテクト制御部１５６および録画重複期間チェック部１５２における処理を実施させずに通過またはバイパスされるように録画予約処理部１５３に出力される。録画ステータスコマンド１０８を受信した録画予約処理部１５３では、録画ステータス記憶部６ａの予約情報記憶部６１、他装置予約情報記憶部６３、および、実行情報記憶部６４内の録画ステータスログを呼び出すように指示を出力する。
【０１１７】
上記した図１４（a）に示された内容は、ステップＳ４９でその番組が録画予約されたデジタル記録再生装置のみの録画予約情報のログが選択された場合に、電子メール端末装置１０３に表示される内容の一例であり、図１４（b）に示された内容は、ステップＳ４８でその番組の録画予約に関係した全デジタル記録再生装置の録画予約情報のログが選択された場合に、電子メール端末装置１０３に表示される内容の一例であり、図１４（ｃ）に示された内容は、ステップＳ４３で実行情報のログが選択された場合に、電子メール端末装置１０３に表示される内容の一例である。
【０１１８】
図１７は、第２のデジタル記録再生装置１００ｂが録画ステータスログ要求を含む２次電子メールを受信した場合の動作を示すフローチャートである。
なお、第３のデジタル記録再生装置１００ｃ、第４のデジタル記録再生装置１００ｄ、および、第Ｘのデジタル記録再生装置１００ｅの動作については、第２のデジタル記録再生装置１００ｂと同様であるので説明を省略する。
【０１１９】
第２のデジタル記録再生装置１００ｂは、録画ステータスログ要求を含む２次電子メールを受信すると、図８を用いて実施の形態１で説明したように録画ステータスコマンドを抽出して、実施の形態１の録画予約の要求に代えて録画ステータスログ要求が含まれているか否かを判断する。例えば、図１０の録画ステータスコマンド抽出部１５１でログを要求する録画ステータスコマンド１０８が抽出されると、その録画ステータスコマンド１０８は、後段に設けられたプロテクト制御部１５６および録画重複期間チェック部１５２における処理を実施させずに通過またはバイパスされるように録画予約処理部１５３に出力される。録画ステータスコマンド１０８を受信した録画予約処理部１５３では、録画ステータス記憶部６ａの予約情報記憶部６１、他装置予約情報記憶部６３、および、実行情報記憶部６４内の録画ステータスログを呼び出すように指示を出力する。
【０１２０】
そして、録画ステータスログ要求が含まれている場合には、第２のデジタル記録再生装置１００ｂは、録画ステータス記憶部６ａの予約情報記憶部６１、および、実行情報記憶部６４に格納されたログ情報を確認し（Ｓ４１ａ）、まず、各ログ情報から録画予約されていた番組の録画が実行中であるか否かを判断する（Ｓ４２ａ）。そして、録画予約されていた番組の録画が実行中である場合（Ｓ４２ａ：ＹＥＳ）には、第２のデジタル記録再生装置１００ｂは、実行情報記憶部６４に格納された実行情報のログを選択する（Ｓ４３ａ）。
【０１２１】
録画予約されていた番組の録画が実行中ではない場合（Ｓ４２ａ：ＮＯ）には、第２のデジタル記録再生装置１００ｂは、録画ステータス記憶部６ａにおいて、予約情報記憶部６１からその番組が録画予約された自デジタル記録再生装置１００ｂの録画予約情報のログを選択する（Ｓ４９ａ）。
【０１２２】
第２のデジタル記録再生装置１００ｂは、メール作成部１５４で、選択されたログを含む返信の２次電子メールを作成し（Ｓ４４ａ）、その電子メールをメール送信処理部１５５から第１のデジタル記録再生装置１００ａに送信する（Ｓ４５ａ）。この返信の２次電子メールを受信した第１のデジタル記録再生装置１００ａでは、図１５のステップＳ３８に従って、選択されたログを含む返信の１次電子メールを作成し、その電子メールをメール送信処理部１５５から電子メール端末装置１０３に送信する。
【０１２３】
この第２のデジタル記録再生装置１００ｂが第１のデジタル記録再生装置１００ａに返信の電子メールを作成して送信する場合は、図８を用いて実施の形態１で説明した場合と同様であり、第１のデジタル記録再生装置１００ａが電子メール端末装置１０３に返信の電子メールを作成して送信する場合は、例えば、第１のデジタル記録再生装置１００ａで、第２のデジタル記録再生装置１００ｂで宛先指定され、選択されたログを含む返信の２次電子メールを受信した場合、ＣＰＵ９が、録画ステータスコマンド抽出部１５１に、２次返信受信メールの送信元のメールアドレスと録画ステータスコマンドを抽出させ、録画ステータスログ要求の結果として受信した録画ステータスログを含む電子メールであるか否かを判断し、メール作成部１５４に、録画ステータス記憶部６ａの送出メッセージ記憶部６２ａに格納された録画ステータスメッセージに基づいて、受信メール記憶部１５４２に格納された録画予約メールの送信元アドレスの電子メール送受信端末装置１０３を宛先として、第１のデジタル記録再生装置１００ａの録画ステータスログを含むメール（１次返信メール）を自動作成させ、メール送信処理部１５５からその録画ステータスログを含むメール（１次返信メール）を送信させる。
【０１２４】
このように本実施の形態では、上記した実施の形態１および２の効果に加えて、例えば、デジタル記録再生装置１００ａに実際登録されているか否かを確認したい場合、または、システム中のどのデジタル記録再生装置に番組録画をさせるかを選定するためにデジタル記録再生装置に録画予約が登録されるまでの経緯が知りたい場合、あるいは、録画予約されたデジタル記録再生装置が録画開始時間になったら録画開始しているか否かを確認したい場合に、電子メール端末装置１０３から録画ステータスログ要求を含む録画ステータスコマンドを電子メールで送信することで、それに対する返信メールにより、録画予約状況、録画予約があるデジタル記録再生装置に登録されるまでの経緯、録画予約された番組の録画実行状況を知ることができるという効果を有する。
【０１２５】
本発明は上記した各実施の形態に限られるものではなく、例えば、各実施の形態の説明におけるブロック図の各ブロックは、説明の便宜上から設けたものであり、各実施の形態で説明したとおりにブロックが設けられている必要はなく、上記した機能を有していれば、実際の構成では各ブロックが統合、あるいは、各ブロックがさらに細分化されていても良い。また、各実施の形態のフローチャートも同様に、上記した作用を有していれば、各ステップが統合、あるいは、各ステップがさらに細分化されていても良い。
【図面の簡単な説明】
【０１２６】
【図１】本発明の実施の形態１の番組録画予約システムの一構成例を通信回線網を含めて示す概略構成図である。
【図２】本発明の実施の形態１の番組録画予約システムで電子メールを各装置間で送受信する状況の一例を示す図である。
【図３】図１に示した第１デジタル記録再生装置の概略の内部構成の一例を示すブロック図である。
【図４】図３に示したコーディネータ部の内部を周辺各部の内部と共に示すブロック図である。
【図５】（a）はＩＤ記憶部に予め格納されるメール可能なデジタル記録再生装置のＩＤ番号のデータの一覧（メーリングリスト）を示す図であり、（b）は（a）のＩＤ番号に対応させたメールアドレスリストのデータの一覧（メールアドレスリスト）を示す図である。
【図６】（a）は録画予約の録画ステータスコマンドの一例を示す図であり、（b）は録画予約内容が入力された場合の電子メール送受信端末装置の表示画面を示す図である。
【図７】（a）は電子メール送受信端末装置で宛先指定された第１のデジタル記録再生装置が録画予約の電子メールを受信した場合のＣＰＵの制御動作を示すフローチャートであり、（b）は第１のデジタル記録再生装置が第２のデジタル記録再生装置等からの録画予約についての返信メールを受信した場合のＣＰＵの制御動作を示すフローチャートである。
【図８】第１のデジタル記録再生装置で宛先指定された第２のデジタル記録再生装置が２次の録画予約の電子メールを受信した場合のＣＰＵの制御動作を示すフローチャートである。
【図９】第１のデジタル記録再生装置における重複予約時のみのＣＰＵの詳細な制御動作を示すフローチャートである。
【図１０】本発明の実施の形態２の番組録画予約システムのデジタル記録再生装置におけるコーディネータ部の内部を周辺各部の内部と共に示すブロック図である。
【図１１】本発明の実施の形態２の第２のデジタル記録再生装置が録画予約の電子メールを受信した場合のＣＰＵの制御動作を示すフローチャートである。
【図１２】（a）は録画予約が拒絶（プロテクト）されている場合の返信の電子メールを受信した場合の電子メール送受信端末装置の表示画面を示す図であり、（b）は期間設定されて録画予約が拒絶されている場合の返信の電子メールを受信した場合の電子メール送受信端末装置の表示画面を示す図である。
【図１３】（a）は本発明の実施の形態３の番組録画予約システムにおける録画ステータスログ要求の録画ステータスコマンドの一例を示す図であり、（b）は録画ステータスログ要求内容が入力された場合の電子メール送受信端末装置の表示画面を示す図である。
【図１４】（a）は録画ステータスログ要求に対する返信を受信した場合の電子メール送受信端末装置の表示画面を示す図であり、（b）は経緯の録画ステータスログ要求に対する返信を受信した場合の電子メール送受信端末装置の表示画面を示す図であり、（ｃ）は録画ステータスログ要求に対して既に録画実行中の返信を受信した場合の電子メール送受信端末装置の表示画面を示す図である。
【図１５】本発明の実施の形態３で録画予約されたデジタル記録再生装置が録画時間を検出して録画を開始した時の動作を示すフローチャートである。
【図１６】第１のデジタル記録再生装置が録画ステータスログ要求を含む１次電子メールを受信した場合の動作を示すフローチャートである。
【図１７】第２のデジタル記録再生装置が録画ステータスログ要求を含む２次電子メールを受信した場合の動作を示すフローチャートである。
【符号の説明】
【０１２７】
１ａ、１ｂ  アンテナ、  ２  チューナ部、  ３  データコントロール部、  ４  ＴＳ用記録部、  ５  デコーダ部、  ６、６ａ  録画ステータス記憶部、  ７  映像信号生成部、  ８  音声信号生成部、  ９  中央演算装置（ＣＰＵ）、  １０  音声出力回路、  １１  映像出力回路、  １２  画像表示装置（ＣＲＴ）、  １３  ネットワークインターフェイス（Ｉ／Ｆ）部、  １４  スピーカ、  １５、１５ａ  コーディネータ部、  １６  ＩＤ記憶部、  ６１  予約情報記憶部、  ６２、６２ａ  送出メッセージ記憶部、  ６３  他装置予約情報記憶部、  ６４  実行情報記憶部、  １００ａ  第１デジタル記録再生装置、  １００ｂ  第２デジタル記録再生装置、  １００ｃ  第３デジタル記録再生装置、  １００ｄ  第４デジタル記録再生装置、  １００ｅ  第Ｘデジタル記録再生装置（Ｘ：正の整数）、  １０１ａ、１０１ｂ  ＨＵＢ内蔵ブロードバンドルータ、  １０２  公衆通信回線網、  １０３  電子メール送受信端末装置、  １０４ａ、１０４ｂ  ローカルエリアネットワーク（ＬＡＮ）、  １０５  メーリングリスト、  １０６  メールアドレスリスト、  １０７  録画ステータスコマンド、  １０８  録画ステータスログコマンド、  １３１  ネットワーク通信制御部、  １５１  録画ステータスコマンド抽出部、  １５２  録画重複期間チェック部、  １５３  録画予約処理部、  １５４  メール作成部、  １６１  メーリングリスト記憶部、  １６２  メールアドレスリスト記憶部、  １５４１  メーリングリストカウンタ、  １５５  メール送信処理部、  １５６  プロテクト制御部、  １５４１  メーリングリストカウンタ、  １５４２  受信メール記憶部。
【図１】
2005318069.tif 000003
【図２】
2005318069.tif 000004
【図３】
2005318069.tif 000005
【図４】
2005318069.tif 000006
【図５】
2005318069.tif 000007
【図６】
2005318069.tif 000008
【図７】
2005318069.tif 000009
【図８】
2005318069.tif 000010
【図９】
2005318069.tif 000011
【図１０】
2005318069.tif 000012
【図１１】
2005318069.tif 000013
【図１２】
2005318069.tif 000014
【図１３】
2005318069.tif 000015
【図１４】
2005318069.tif 000016
【図１５】
2005318069.tif 000017
【図１６】
2005318069.tif 000018
【図１７】
2005318069.tif 000019